(57)【要約】【課題】商店等において各種商品の名称、価格等を表示するようにした表示器に原産地表示機能を内蔵させた構造を有し、多数の原産地から所定の原産地を選んで表示することができるようにした商品表示器を提供する。【解決手段】手動で回動し得る回動軸４の外周に固設された回動ギア５に常時歯合する左右の連結ギア７、７が回動軸の端部を保持する軸受ホルダ６の左右に形成された突出軸に支承される一方、収納ボックス２における両側の軸取付板３、３の中心穴から両側に離間して設けられた左右の軸受溝８、８にテープ１０の両端を固定して巻き取る左右一対の巻取軸９、９が支承されると共に、夫々の巻取軸の端部に小径ギア１３、１３が固設されてなり、回動軸４を一方向に回動することにより、軸受ホルダ６が傾いて連結ギア７の片方が一方の小径ギア１３に歯合することで、一方の巻取軸９を回動してテープ１０を一方向に巻取るようにした。【選択図】図１
2004354835.tif 000002
【特許請求の範囲】
【請求項１】
商品表示器に設けられる収納ボックスの軸取付板の中心穴に手動で回動し得る回動軸が設けられ、該回動軸の外周に固設された回動ギアに常時歯合する左右の連結ギアが前記回動軸の端部を保持する軸受ホルダの左右に形成された突出軸に支承される一方、前記収納ボックスにおける両側の軸取付板の中心穴から両側に離間して設けられた左右の軸受溝にテープの両端を固定して巻き取る左右一対の巻取軸が支承されると共に、夫々の巻取軸の端部に小径ギアが固設されてなり、前記回動軸を一方向に回動することにより、前記軸受ホルダが傾いて前記連結ギアの一方が一方の前記小径ギアに歯合することで、一方の巻取軸を回動して前記テープを一方向に巻取り、これによって該テープに表記された所望の表示内容を前記商品表示器に設けられた表示窓から露呈して表示するようにしたことを特徴とする商品表示器のテープ巻取機構。
【請求項２】
前記回動軸の軸中心に軸穴が貫通状に設けられ、該軸穴に挿通された操作軸の外端の抓みによって該操作軸の押込み又は引出しを行うことにより、該抓みを前記商品表示器の内部に収納可能に構成したことを特徴とする請求項１記載の商品表示器のテープ巻取機構。
【請求項３】
前記収納ボックスにおける前記左右の巻取軸間の上方に案内板が設けられ、前記左右の巻取軸で巻き取られたテープが前記案内板によって張り出された形状を保って前記商品表示器に設けられた表示窓から露呈して表示されることを特徴とする請求項１又は２記載の商品表示器のテープ巻取機構。
【請求項４】
前記左右の巻取軸において前記小径ギアが固設された反対側の端部に補助ギアが固設され、該補助ギアに前記案内板の両端から突出形成されたアーム状ストッパの爪部を前記補助ギアに歯合することによって前記巻取軸の空回りを防止するようにしたことを特徴とする請求項１、２又は３記載の商品表示器のテープ巻取機構。
【請求項５】
前記テープ巻取機構を設けた商品表示器を価格表示器とは別体に設け、前記商品表示器を前記価格表示器に着脱自在にしたことを特徴する請求項１、２、３又は４記載の商品表示器のテープ巻取機構。
【発明の詳細な説明】
【０００１】
【発明の属する技術分野】
本発明は、商店等において各種商品の名称、価格、原産地等を表示するようにした商品表示器のテープ巻取機構に関するものである。
【０００２】
【従来の技術】
商店等においては各種商品の名称や価格等を表示することによって、購入者に商品の案内を行なうようにしている。特に、商品が野菜や果物や肉類や魚貝類等である場合、原産地を表示することがあり、それに適する各種の商品表示器が開発されている。
【０００３】
そのような従来の商品表示器の例としては、下記のように特許文献１又は特許文献２に記載されたものがある。
【０００４】
特許文献１に記載された発明は、図８（ａ）及び（ｂ）に示すように、複数個の価格表示窓５１、５１…及び商品名を記入したカード５２ａのカード収納部５２が形成されたフロントパネル５３と、該フロントパネル５３に設けられた価格表示窓５１、５１…の背面を覆うように取り付けられたケース本体５４と、該ケース本体５４内に回転可能に取り付けられたラチェット歯車５５を備える複数個の回転表示体５６と、この複数個の回転表示体５６のラチェット歯車５５とそれぞれ歯み合い、ケース本体５４の下部より下方へ突出したブッシュ片５７をそれぞれ押圧することにより一表示変わるだけラチェット歯車５５を回転させるようにしたものである。このような構成により、ブッシュ片５７の押し圧操作だけで回転表示体５６に設けられた価格表示片５９を変えて複数の価格表示窓５１に表示するようにしている。
【０００５】
また、特許文献２に記載された発明は、図９に示すように、前面パネル６１にの上部に設けられたカード収納部６２と、その下部に設けられた複数個の価格表示窓６３、６３…と、本体内部に設けられたラチェット歯車によって回動する複数個の回転表示体６４、６４…を表示する価格表示窓６３、６３…とが設けられ、さらに前面パネル６１の下部片側に原産地表示窓６５が形成され、この原産地表示窓６５に原産地表示カード６６を挿着するようにしている。
【０００６】
さらに、前面パネル６１の側部に着脱自在に設けられた補助表示具６７は、商品情報カード６９が挿入される上下の商品情報表示窓６８、６８を有する。
【０００７】
このような補助表示具付き価格表示器７０によれば、前面パネル６１の価格表示窓６３に価格を表示し、さらに原産地表示窓６５に原産地表示カード６６を挿着する一方、予め商品情報カード６９を商品情報表示窓６８に挿入することにより、客は商品名や価格表示のほかに他の商品情報を得ることができる。
【０００８】
【特許文献１】
特開平７−３６３９４号公報（第２頁、図１、１１）
【特許文献２】
特開２００２−６２８２７号公報（第４、５頁、図６）
【０００９】
【発明が解決しようとする課題】
ところで、上記の特許文献１の発明は、一側部にラチェット歯車５５を備える複数個の回転表示体５６によって価格表示を行うものである。このような構成によれば、夫々の価格表示窓５１において、０〜９の数字と白紙の表示とで全部で１１個の価格表示片５９を備えていれば、所定の桁数内でどのような数字を表示することも可能であるが、原産地表示のように、ひらがな、カタカナ又は漢字等の組合せによる文字を上記の回転表示体５６で表現するには、要求される文字の数が膨大なものとなり、それに応じた枚数の価格表示片５９を有する構造化は不可能である。
【００１０】
この場合、特許文献２の発明のように、前面パネル６１に設けられた原産地表示窓６５に原産地表示カード６６を挿着するか、補助表示具６７の商品情報表示窓６８に商品情報カード６９を挿入して表示する方法がある。
【００１１】
ところが、このような表示方法は、所定のカードを挿入して表示窓から露呈することにより表示を行うものであるため、価格表示器とは別体の所定カードを用意して、原産地が変わるごとに別のカードを挿入する必要がある。
【００１２】
このような事態に対処して、商店側は、複数の原産地を表示したカードを用意することとなるが、例えば１００箇所ほどの原産地名を用意して交換するには相当の手間を必要とし、またカードの管理上の問題が生じ、さらにはカードを紛失することもあるため、価格表示器と別体ではなく、表示器に原産地表示機能を内蔵した構造が望まれるところである。
【００１３】
本発明は、上記の事情に鑑みてなされたもので、商店等において各種商品の名称、価格等を表示するようにした表示器に原産地表示機能を内蔵させた構造を有し、多数の原産地から所定の原産地を選んで表示することができるようにした商品表示器を提供することを目的とする。
【００１４】
【課題を解決するための手段】
上記の目的を達成するために、本発明の請求項１における商品表示器のテープ巻取機構は、商品表示器に設けられる収納ボックスの軸取付板の中心穴に手動で回動し得る回動軸が設けられ、該回動軸の外周に固設された回動ギアに常時歯合する左右の連結ギアが前記回動軸の端部を保持する軸受ホルダの左右に形成された突出軸に支承される一方、前記収納ボックスにおける両側の軸取付板の中心穴から両側に離間して設けられた左右の軸受溝にテープの両端を固定して巻き取る左右一対の巻取軸が支承されると共に、夫々の巻取軸の端部に小径ギアが固設されてなり、前記回動軸を一方向に回動することにより、前記軸受ホルダが傾いて前記連結ギアの一方が一方の前記小径ギアに歯合することで、一方の巻取軸を回動して前記テープを一方向に巻取り、これによって該テープに表記された所望の表示内容を前記商品表示器に設けられた表示窓から露呈して表示するようにしたことを特徴とする。
【００１５】
また、本発明の請求項２における商品表示器のテープ巻取機構は、請求項１において、前記回動軸の軸中心に軸穴が貫通状に設けられ、該軸穴に挿通された操作軸の外端の抓みによって該操作軸の押込み又は引出しを行うことにより、該抓みを前記商品表示器の内部に収納可能に構成したことを特徴とする。
【００１６】
また、本発明の請求項３における商品表示器のテープ巻取機構は、請求項１又は２において、前記収納ボックスにおける前記左右の巻取軸間の上方に案内板が設けられ、前記左右の巻取軸で巻き取られたテープが前記案内板によって張り出された形状を保って前記商品表示器に設けられた表示窓から露呈して表示されることを特徴とする。
【００１７】
また、本発明の請求項４における商品表示器のテープ巻取機構は、請求項１、２又は３において、前記左右の巻取軸において前記小径ギアが固設された反対側の端部に補助ギアが固設され、該補助ギアに前記案内板の両端から突出形成されたアーム状ストッパの爪部を前記補助ギアに歯合することによって前記巻取軸の空回りを防止するようにしたことを特徴とする。
【００１８】
さらに、本発明の請求項５における商品表示器のテープ巻取機構は、請求項１、２、３又は４において、前記テープ巻取機構を設けた商品表示器を価格表示器とは別体に設け、前記商品表示器を前記価格表示器に着脱自在にしたことを特徴する。
【００１９】
【発明の実施の形態】
以下、本発明の実施例について図面を参照しながら説明する。
【００２０】
本実施例における商品表示器のテープ巻取機構１は、図１に示すように、収納ボックス２に収容した構成とし、該収納ボックス２を図６に示すような商品表示器２０の内部または裏側に取り付けるか、この収納ボックス２と同様の構成を商品表示器２０の内部又は裏側に形成するようにしてテープ巻取機構１を構成するようにしてもよい。
【００２１】
本実施例のテープ巻取機構１は、図３に示すように、矩形平面を有する収納ボックス２の両側に軸取付板３、３が立上げ状態に並設され、前側（図３の左方）の軸取付板３に形成された中心穴３ａには手動で回動し得る回動軸４が取り付けられる。
【００２２】
また、図３に示すように、回動軸４の前端４ａはその外周に形成された回動ギア５から突出しており、図２に示すように、回動軸４の前端４ａが収納ボックス２の軸取付板３の中心穴３ａに摺回動自在に挿着される一方、図３の回動軸４の後端４ｂは軸受ホルダ６の中央の貫通穴６ａに摺回動自在に挿着される。
【００２３】
この軸受ホルダ６は、上記のように回動軸４の後端４ｂを摺回動自在に挿着する貫通穴６ａを有すると共に、該貫通穴６ａのやや上方であって左右の近傍に突出軸６ｂ、６ｂが形成され、図２に示すようにこれらの左右の突出軸６ｂ、６ｂに連結ギア７、７の軸穴が回動自在に挿着される。
【００２４】
このような構成により、軸受ホルダ６の中心穴６ａに設けられた回動軸４の外周の回動ギア５は該軸受ホルダ６の左右の突出軸６ｂ、６ｂに設けられた連結ギア７、７に常時歯合した構成にされる。
【００２５】
また、図３に示すように、収納ボックス２における前側の軸取付板３に設けられた中心穴３ａのやや上方の左右両側の近傍には案内孔３ｂ、３ｂが形成されている。これらの案内孔３ｂ、３ｂは中心穴３ａの周方向に弧状を有する貫通孔として形成され、これらの案内孔３ｂ、３ｂに軸受ホルダ６の左右の突出軸６ｂ、６ｂの前端が係止されたことにより、各突出軸６ｂ、６ｂが夫々の案内孔３ｂ、３ｂ内を移動し得る範囲内で、回動軸４を中心として左右の連結ギア７、７を揺動することができる。
【００２６】
また、収納ボックス２における両側の軸取付板３、３の各中心穴３ａ、３ａから両側に離間して傾斜状に設けられた左右の軸受溝８、８に左右の巻取軸９、９が支承されている。これら左右一対の巻取軸９、９にはテープ１０の両端を固定してある。これに使用するテープ１０はポリエチレン等の合成樹脂フィルムで形成した引張り強度の大なる帯状の部材からなり、長手方向に所定間隔で多数の原産地名等が表記されている。なお、テープ１０に表記する内容は原産地名だけではなく、本発明のテープ巻取機構１の用途に応じて他の事柄を表記するようにしてもよい。
【００２７】
また、夫々の巻取軸９、９の後端には大径の補助ギア１１、１１が固設される一方、前端に固設されたフランジ１２、１２を介して小径ギア１３、１３が固定されている。この巻取軸９の前端と後端には軸端部９ａ（図４参照）が突出され、夫々の軸端部９ａが収納ボックス２の軸受溝８に挿着されたことによって、左右の巻取軸９、９が収納ボックス２の両側の軸取付板３、３に渡された状態で回動自在とされている。なお、夫々の軸受溝８には各巻取軸９の軸端部９ａの抜け出しを防止する隆起状の突起８ａが形成されている。
【００２８】
上記の構成において、回動ギア５に常時歯合してなる左右の連結ギア７、７と左右の巻取軸９、９に設けられた小径ギア１３、１３との関係について説明すると、図５（ａ）に示すように、回動軸４を回転しない通常の状態においては、軸受ホルダ６の左右の連結ギア７、７は、巻取軸９、９の小径ギア１３、１３に噛み合う寸前の近接した状態にある。また、図５（ｂ）又は（ｃ）に示すように、回動軸４を左右のいずれかに回動することによって、軸受ホルダ６が傾いた側の連結ギア７を小径ギア１３に噛み合せることによって、この噛み合わせられた側の巻取軸９を回動することとなる。なお、図５（ｂ）は回動軸４を回転して右方の連結ギア７を右方の小径ギア１３に歯合した状況を示し、図５（ｃ）は回動軸４を回転して左方の連結ギア７を左方の小径ギア１３に歯合した状況を示す。
【００２９】
上記の構成において、仮に、回動ギア５に常時歯合してなる左右の連結ギア７、７に左右の小径ギア１３、１３が常に歯合した構成である場合、回動軸４をいずれかの方向に回転すると、左右の巻取軸９、９におけるテープ１０の巻取径がアンバランスになってテープ１０にたるみが生じる。本実施例によれば、回動軸４を回動した際に回動ギア５に歯合する連結ギア７が片側だけの小径ギア１３に歯合する構造によって片側だけの巻取軸９を回転させることができ、テープ１０のたるみの発生を防止することができる。
【００３０】
また、図３に示すように、回動軸４はその軸中心に角形状を有する軸穴４ｃが貫通状に形成され、該軸穴４ｃに挿通される操作軸１４の外端には抓み１５が固設されている。また、操作軸１４は収納ボックス２の両側の軸取付板３、３間を越える長さを有し、抓み１５側の軸径１４ｄは回動軸の軸穴４ｃ内の角形状に嵌合する形状を有し、また操作軸１４の先部付近には間隔をあけて外周溝１４ａ、１４ｂが形成されている。なお、図４（ａ）または（ｂ）に示すように、操作軸１４の途中には周溝１４ｃが形成され、この周溝１４ｃにツバ２３が係止され、操作軸１４の移動に伴って該操作軸１４が抜け出さないように、ツバ２３を軸受ホルダ６側に係止するようにしている。
【００３１】
また、図４（ａ）、（ｂ）に示すように、操作軸１４の先部付近に間隔をあけて形成された外周溝１４ａ、１４ｂには、収納ボックス２内に内蔵された保持枠１６から延長形成された弾性保持片１７、１７の凸部１７ａ、１７ａが嵌合された構成とされ、抓み１５の押込み又は引出しを行うことにより、操作軸１４の位置決めを行なうことができ、抓み１５を押込んだ状態で、該抓み１５を商品表示器２０の本体内部に収納し、抓み１５を引出した状態で、この抓み１５を指先で摘んで回動する操作を容易にするものである。
【００３２】
さらに、図１、図２に示すように、左右の巻取軸９、９間には、上方の張り出し位置に案内板１８が設けられている。この案内板１８は、図３に示すように少なくともテープ１０が通過する幅を有する案内面１８ａを有し、該案内板１８の前端に薄厚部１８ｂを有すると共に前端と後端には係止片１８ｃ、１８ｃが突出形成され、夫々の係止片１８ｃ、１８ｃが収納ボックス２の前後の軸取付板３、３の略中央の上部に形成された係止穴３ｃ、３ｃに挿着されることによって、該案内板１８が収納ボックス２の中央の張り出し位置にて固設された状態とされている。
【００３３】
また、左右一対の巻取軸９、９において小径ギア１３、１３が固設された反対側の端部には補助ギア１１、１１が固設され、該補助ギア１１、１１に上記の案内板１８の後端部から両側に突出形成されたアーム状ストッパ１９、１９の爪部１９ａ、１９ａを歯合することによって左右の巻取軸９、９の空回りを阻止し、左右の巻取軸９、９に設けられたテープ１０に緩みが発生することを防止するようにしている。
【００３４】
本実施例のカード巻取機構１の取付例として、図６（ａ）及び（ｂ）に示すように、商品表示器２０の裏面にカード巻取機構１を取り付け、このカード巻取機構１のテープ１０の対応位置に表示窓２１が形成されたほか、表示窓２１の下方には小径の補助窓２７が形成されている。このような構成において、カード取付機構１の抓み１５を押し込むことによって商品表示器２０の内部へ抓み１５が隠れた状態になる。
【００３５】
また、表示窓２１に表示されている、例えば「神奈川県」という文字は、商品表示器２０の商品名表示窓２５に挿着された商品名カード２６の「トマト」の原産地を表すものであり、商店に陳列さた商品の原産地がその他の原産地を含む場合を考慮して、補助窓２７に「ほか国内産」というカードを挿着する構成としてある。
【００３６】
また、本実施例のテープ巻取機構１を設けた商品表示器２０は、図６又は図７に示すように、各種の数字板２９を表示する価格表示窓２８を有する価格表示器２２とは別体に形成した商品表示器２０を価格表示器２２に着脱自在にした構成とすることも可能である。なお、図７において、商品表示器２０の後部には弾性形状の引掛片２４を形成して、該引掛片２４を棚部材等に取り付けることによって、該商品表示器２０の前面を表示することを可能としている。
【００３７】
【発明の効果】
以上説明したように、本発明の商品表示器のテープ巻取機構によれば、１個の抓みをいずれかの方向に回動することによって、いずれかの巻取軸を回動してテープを一方向に巻取ることができ、これによってテープに表記された所望の表示内容を選択して、商品表示器の表示窓から露呈して表示することができる。このため、本発明によるテープ巻取機構に設けられたテープに数十種乃至百種を超えるほどの原産地名等を表記して、そのうちの所望の原産地又は他の表記内容を選択して表示窓から表示することが可能となる。
【００３８】
このような本発明によるテープ巻取機構は、回動軸を保持する軸受ホルダの両側の連結ギアのいずれかを片側の巻取軸の小径ギアに歯合することによってテープを一方向に巻き取る構成して、テープのたるみの発生を防止した構成としている。
【００３９】
また、本発明によるテープ巻取機構は小型化が可能であり、従来の商品表示器の内部又は裏面に構成することができ、しかも回動軸を回動するための操作軸の抓みを収納ボックス側へ押込んだり、引出したりすることが可能であるため、この抓みを引き出すと、テープの巻取り操作が容易であり、抓みを押し込んで商品表示器の内部に収納しておくと、抓みを外方から見えない状態にしておくことができ、客が故意に抓みをいじったりして表示内容を変えることを防止できる。
【００４０】
また、収納ボックスにおける左右の巻取軸間の上方に設けられた案内板によって左右の巻取軸で巻き取られたテープが張り出された見やすい形状を保つことができるため、このテープに表記された内容を綺麗な状態で表示窓から露呈して表示することが可能となる。
【００４１】
また、案内板の両端から突出形成されたアーム状ストッパの爪部が左右の巻取軸に設けられた補助ギアに歯合することによって夫々の巻取軸の空回りを防止することができるため、テープにたるみが発生することを防止し、案内板で張り出された状態を保つことができる。
【００４２】
さらに、本発明によるテープ巻取機構を設けた商品表示器を価格表示器とは別体に設け、該商品表示器を価格表示器に着脱自在に構成することができるため、従来の価格表示器に本発明のテープ巻取機構を有する商品表示器を着脱自在に取り付けることも可能となる。
【図面の簡単な説明】
【図１】本発明による商品表示器のテープ巻取機構の全体斜視図である。
【図２】本発明による商品表示器のテープ巻取機構の全体斜視図であり、テープと抓みを取り外した状況を示す。
【図３】本発明による商品表示器のテープ巻取機構の分解斜視図である。
【図４】（ａ）は本発明による商品表示器のテープ巻取機構の内部を示す平面図であり、（ｂ）は抓みを引き出した状況を示す。
【図５】（ａ）は本発明による商品表示器のテープ巻取機構の要部を示す側面図であり、（ｂ）は回動軸を回転して右方の連結ギアを右方の小径ギアに歯合した状況を示す側面図、（ｃ）は回動軸を回転して左方の連結ギアを左方の小径ギアに歯合した状況を示す側面図である。
【図６】（ａ）は本発明による商品表示器の平面図であり、（ｂ）はその商品表示器からテープ巻取機構の抓みを引き出した状況を示す平面図である。
【図７】本発明による商品表示器の側面図である。
【図８】（ａ）は従来の価格表示器の平面図、（ｂ）は内部構造を示す側面図である。
【図９】従来の価格表示器の斜視図である。
【符号の説明】
１…テープ巻取機構
２…収納ボックス
３…軸取付板
３ａ…中心穴
３ｂ…案内孔
３ｃ…係止穴
４…回動軸
４ａ…回動軸の前端
４ｂ…回動軸の後端
５…回動ギア
６…軸受ホルダ
６ａ…貫通穴
６ｂ…突出軸
７…連結ギア
８…軸受溝
８ａ…突起
９…巻取軸
９ａ…軸端部
１０…テープ
１１…補助ギア
１２…フランジ
１３…小径ギア
１３…小径ギア
１４…操作軸
１４ａ、１４ｂ…外周溝
１４ｃ…周溝
１５…抓み
１７…弾性保持片
１７ａ…凸部
１８…案内板
１８ａ…案内面
１８ｂ…薄厚部
１８ｃ…係止片
１９…ストッパ
１９ａ…爪部
２０…商品表示器
２１…表示窓
２２…価格表示器
２３…ツバ
２４…引掛片
２５…商品名表示窓
２６…商品名カード
２７…補助窓
２８…価格表示窓
２９…数字板
【図１】
2004354835.tif 000003
【図２】
2004354835.tif 000004
【図３】
2004354835.tif 000005
【図４】
2004354835.tif 000006
【図５】
2004354835.tif 000007
【図６】
2004354835.tif 000008
【図７】
2004354835.tif 000009
【図８】
2004354835.tif 000010
【図９】
2004354835.tif 000011